(57)【要約】【課題】壁等の被照射物に近接して配置し被照射物における照明対象領域に対する照明を行う際、照明対象領域における照度差を効果的に抑制でき、かつ照度ムラが生じない照明が可能なＬＥＤ照明装置を得る。【解決手段】曲面反射板１０は部分拡散照射光Ｌ５ａを反射して、遠距離域用照明光ＬＡを壁３２に向けて外部に出射するとともに、部分拡散照射光Ｌ５ｂを反射して中距離域用照明光ＬＢを壁３２に向けて外部に出射している。このように、曲面反射板１０は、ＬＥＤ５から比較的近く光強度が相対的に強い部分の部分拡散照射光Ｌ５ａを反射して遠距離域用照明光ＬＡとし、ＬＥＤ５から比較的遠く光強度が相対的に弱い部分の部分拡散照射光Ｌ５ｂを反射して中距離域用照明光ＬＢとしている。【選択図】図１
2014099306.tif 000002
【特許請求の範囲】
【請求項１】
被照射物に近接配置され、該被照射物の照明対象領域に照明光を出射するＬＥＤ照明装置であって、
ＬＥＤ照射光を拡散させた拡散照射光を内部に照射する拡散ＬＥＤ照射部と、
断面形状が凹状の曲線となる曲面構造を有し、前記拡散照射光を反射させて前記照明光として前記照明対象領域に出射する曲面反射板とを備え、
前記照明対象領域は第１の照明対象領域と前記第１の照明対象領域より前記照明光の前記被照射物への到達距離が長い第２の照明対象領域を有し、前記照明光は前記第１の照明対象領域用の第１の部分照明光と、前記第２の照明対象領域用の第２の部分照明光を有し、
前記拡散照射光は、前記曲面反射板に比較的短い距離で到達する第１の部分拡散照射光と、前記曲面反射板に比較的長い距離で到達する第２の部分拡散照射光と有し、
前記曲面反射板は前記第１の部分拡散光を反射させて前記第２の部分照明光として出射し、前記第２の部分拡散光を反射させて前記第１の部分照明光として出射するとともに、前記第２の部分照明光の光量が前記第１の部分照明光の光量より大きくなるように配置されることを特徴とする、
ＬＥＤ照明装置。
【請求項２】
請求項１記載のＬＥＤ照明装置であって、
前記拡散ＬＥＤ照射部は、
下方に向けて前記ＬＥＤ照射光を照射するＬＥＤ照射部と、
前記ＬＥＤ照射光の透過時に拡散させて前記拡散照射光を得る第１の拡散板とを有し、
前記第１の拡散板は、前記第２の部分拡散照射光の拡散度合が前記第１の拡散照射光の拡散度合より大きくなるように配置されることを特徴とする、
ＬＥＤ照明装置。
【請求項３】
請求項２記載のＬＥＤ照明装置であって、
前記第１の部分照明光の前記第１の部分照明領域への光路上に設けられた第２の拡散板をさらに備える、
ＬＥＤ照明装置。
【発明の詳細な説明】
【技術分野】
【０００１】
この発明は、ＬＥＤ照明装置に関し、特に壁面を照射するアンビエント照明（環境照明）に関する。
【背景技術】
【０００２】
事務室等における室内照明は、一般的に２種類の方法が用いられている。一つは室内空間全体を均一な明るさで照らす天井照明等であり、もう一つは、室内空間として最低限必要な明るさを確保するアンビエントライトと机上面など局所的に必要な明るさ補完するタスクライトを組み合わせたタスク・アンビエント照明である。アンビエント照明については、目の疲労や心理的な好ましさを考慮すると、天井や壁における照明対象領域の照度を均一にするように照明光を照射する必要がある。
【０００３】
壁における照明対象領域を均一な照度で照射する照明としては、特許文献１に開示のホリゾンライトのように複数のＬＥＤ光源を用いる方法や、特許文献２に開示の間接照明装置（面体に照射し、その反射光により照明する装置）のように配光レンズを用いた照明方法等が提案されている。
【０００４】
これら特許文献１や特許文献２で開示された照明装置では、耐久性・低ランニングコスト・小型化に有利なＬＥＤを光源として採用している。
【先行技術文献】
【特許文献】
【０００５】
【特許文献１】特開２０１０−２７２２３２号公報
【特許文献２】特開２０１１−１０８４９６号公報
【発明の概要】
【発明が解決しようとする課題】
【０００６】
一般的に、被照射物である壁の近傍に照明装置を配置し、該照明装置によって一方向から壁に照明光を照射するアンビエント照明の場合、壁の照明対象領域のうち、照明装置による照明光の壁への到達距離が比較的遠い領域の方が上記到達距離が比較的近い域より必然的に照度が低くなるため、壁全体を照明対象領域とする場合、均一な照度で照らすことは困難であった。また、上記特許文献１及び上記特許文献２は、アンビエント照明分野における照明対象領域の均一化に関して言及していない。
【０００７】
さらに、壁のように照明対象領域が広い場合、特に照明装置に近い部分に照度ムラが発生するという問題点があった。この問題点は、直進性の高いＬＥＤ光源とする場合に顕著となる。
【０００８】
この発明は上記問題点を解決するためになされたもので、壁に近接して配置し壁における照明対象領域に対する照明を行う際、照明対象領域における照度差を効果的に抑制でき、かつ照度ムラが生じない照明が可能なＬＥＤ照明装置を得ることを目的とする。
【課題を解決するための手段】
【０００９】
この発明に係る請求項１記載のＬＥＤ照明装置は、被照射物に近接配置され、該被照射物の照明対象領域に照明光を出射するＬＥＤ照明装置であって、ＬＥＤ照射光を拡散させた拡散照射光を内部に照射する拡散ＬＥＤ照射部と、断面形状が凹状の曲線となる曲面構造を有し、前記拡散照射光を反射させて前記照明光として前記照明対象領域に出射する曲面反射板とを備え、前記照明対象領域は第１の照明対象領域と前記第１の照明対象領域より前記照明光の前記被照射物への到達距離が長い第２の照明対象領域を有し、前記照明光は前記第１の照明対象領域用の第１の部分照明光と、前記第２の照明対象領域用の第２の部分照明光を有し、前記拡散照射光は、前記曲面反射板に比較的短い距離で到達する第１の部分拡散照射光と、前記曲面反射板に比較的長い距離で到達する第２の部分拡散照射光と有し、前記曲面反射板は前記第１の部分拡散光を反射させて前記第２の部分照明光として出射し、前記第２の部分拡散光を反射させて前記第１の部分照明光として出射するとともに、前記第２の部分照明光の光量が前記第１の部分照明光の光量より大きくなるように配置されることを特徴とする。
【００１０】
請求項２の発明は請求項１記載のＬＥＤ照明装置であって、前記拡散ＬＥＤ照射部は、下方に向けて前記ＬＥＤ照射光を照射するＬＥＤ照射部と、前記ＬＥＤ照射光の透過時に拡散させて前記拡散照射光を得る第１の拡散板とを有し、前記第１の拡散板は、前記第２の部分拡散照射光の拡散度合が前記第１の拡散照射光の拡散度合より大きくなるように配置されることを特徴とする。
【００１１】
請求項３の発明は請求項２記載のＬＥＤ照明装置であって、前記第１の部分照明光の前記第１の部分照明領域への光路上に設けられた第２の拡散板をさらに備える。
ＬＥＤ照明装置。
【発明の効果】
【００１２】
請求項１記載の本願発明のＬＥＤ照明装置の曲面反射板は上記特徴を有しているため、第２の部分照明光の強度及び光量を第１の部分照明光の強度及び光量より相対的に高めることができるため、第１及び第２の照明対象領域の照明光到達距離の差により必然的に生じる第１及び第２の部分照明光間の照度差を効果的に抑制して、第１及び第２の照明対象領域間に違和感のない照明対象領域全体で照度差の少ない照明が行える。
【００１３】
請求項１記載の本願発明は、曲面反射板を反射させた反射光を照明光として用いることにより、ユーザがＬＥＤ照射光を直視する危険性を回避して、ユーザが眩しさを感じないユーザフレンドリーな構成にすることができる。
【００１４】
さらに、請求項１記載の本願発明は、拡散照射光を反射させて照明光を得ているため、拡散効果により照明光の照度ムラを効果的に抑制することができる。
【００１５】
請求項２記載の本願発明において、第１の拡散板は第２の部分拡散照射光の拡散度合が第１の拡散照射光の拡散度合より大きくなるように配置されており、第２の部分拡散照射光の光強度（拡散度合と負の相関）が第１の拡散照射光の光強度に対して相対的に小さくされるため、第２及び第１の拡散照射光を反射して得られる第１及び第２の部分照明光間の照度差をより一層、効果的に抑制することができる。
【００１６】
第２の拡散板により、第２の部分照明光を拡散させることにより、前記第１の部分照明対象領域内で照明光到達距離がより近い照射態様領域への出射度合を高めるともに、ＬＥＤ照明部のＬＥＤ部が青色のＬＥＤを用いた擬似白色ＬＥＤ構造を呈している場合でも、当該ＬＥＤ部の照射光に生じる色ムラを効果的に抑制することができる。
【図面の簡単な説明】
【００１７】
【図１】この発明の実施の形態であるＬＥＤ照明装置の断面構造を示す断面図である。
【図２】ＬＥＤ照明装置の俯瞰構造を示す斜視図である。
【図３】曲面反射板の断面形状を拡大して示す説明図である。
【図４】拡散板（第１の拡散板）の拡散効果を模式的に示す説明図である。
【図５】拡散板（第２の拡散板）の拡散効果を模式的に示す説明図である。
【図６】支持台の構造を示す斜視図である。
【図７】カバー部の全体構造を示す斜視図である。
【図８】ＬＥＤ照明装置による均一照明領域を模式的に示す説明図である。
【図９】擬似白色ＬＥＤ構造を有するＬＥＤの構造を示す断面図である。
【発明を実施するための形態】
【００１８】
＜実施の形態＞
（装置概要）
図１はこの発明の実施の形態であるＬＥＤ照明装置１の断面構造を示す断面図である。図２はＬＥＤ照明装置の俯瞰構造を示す斜視図である。なお、図１及び図２並びにその他の図には、必要に応じてＸＹＺ直交座標系を付している。
【００１９】
図１に示すように、ＬＥＤ照明装置１は被照射物である壁３２に近接して、専用台となる設置台２１上に載置されている。設置台２１は床３１上に載置される。
【００２０】
壁３２側の設置台２１の側面から壁３２までの距離ｄ２１は５ｃｍ程度に設定され、壁３２の反対側の設置台２１の側面は壁３２から２０ｃｍの位置に配置される。すなわち、設置台２１の壁３２に向かう方向（壁対向方向；Ｘ方向）の形成長さは１５ｃｍ程度に設定される。
【００２１】
設置台２１上にアルミ製の支持台２２及びカバー部２５を主要構成としたＬＥＤ照明装置１が配置される。図２に示すように、支持台２２及びカバー部２５はそれぞれ上記壁対向方向に垂直な壁３２の形成方向に沿った方向（壁形成方向；Ｙ方向）を長手方向とし、全体が平面視縦長形状を呈している。
【００２２】
カバー部２５は柱部２５ａ、底部２５ｂ、下層部２５ｃ、上層部２５ｄ、２枚の側面板２５ｅ及び庇板２６から構成され、設置台２１の表面上に底部２５ｂが配置される。なお、図２において、２枚の側面板２５ｅのうち、手前側の側面板２５ｅの図示を省略している。
【００２３】
一方、支持台２２は、柱部２２ａ、台部２２ｂ、ＬＥＤ搭載部２２ｃ及びスペーサー部２２ｄから構成される。支持台２２において、少なくとも柱部２２ａ、台部２２ｂ及びＬＥＤ搭載部２２ｃは一体構成されている。スペーサー部２２ｄは支持台２２と一体構成されていても、分離構成されていても良い。
【００２４】
支持台２２の柱部２２ａの下端部が設置台２１の表面上に位置し、台部２２ｂのＬＥＤ搭載部２２ｃの近傍領域がカバー部２５の柱部２５ａの上端部上に配置されることにより、設置台２１上に配置されるとともにカバー部２５と一体的に組み合わされる。この際、ＬＥＤ搭載部２２ｃの台部２２ｂ側の側面と柱部２５ａの側面とが密着状態となり、支持台２２及びカバー部２５は位置精度良く、安定的に組み合わされる。また、台部２２ｂを挟んで柱部２５ａ上にスペーサー部２２ｄが配置される。
【００２５】
そして、図１に示すように、台部２２ｂの底面には電源部２３が取り付けられる。すなわち、電源部２３は支持台２２の台部２２ｂの裏側の空間に収められる。
【００２６】
壁３２に対するＬＥＤ照明装置１による照明対象領域の広さは、基本的にＬＥＤ照明装置１と壁３２との上記壁対向方向の距離によって決まるため、天井への照射を避け壁３２のみを照射するように、壁３２とＬＥＤ照明装置１との上記壁対向方向（Ｙ方向）の距離を調整する。
【００２７】
図１及び図２に示すように、本実施の形態のＬＥＤ照明装置１は、ＬＥＤ５が実装されたＬＥＤ基板１５がＬＥＤ搭載部２２ｃに設けられた凹部の底面に取り付けられる。なお、正確には、後述するように、Ｙ方向に沿ってライン状の複数のＬＥＤ５がＬＥＤ基板１５に搭載される。さらに、ＬＥＤ基板１５に対向して上記凹部の開放部分に拡散板１１（第１の拡散板）が取り付けられる。この際、拡散板１１はＬＥＤ基板１５に対して上方（＋Ｚ方向）に行くに従い距離が広がるように斜めに取り付けられる。
【００２８】
一方、カバー部２５の底部２５ｂから下層部２５ｃにかけて内部に形成される内部形成面である反射板搭載面２５ｓ上に貼り付けられて曲面反射板１０は配置される。そして、曲面反射板１０の上部と一部が対向する位置に拡散板１２（第２の拡散板）は配置される。拡散板１２はカバー部２５の両側面板２５ｅ，２５ｅの下部領域によって挟み込まれることにより安定的に固定される。
【００２９】
また、支持台２２のスペーサー部２２ｄ上からカバー部２５の下層部２５ｃの上端部分にかけて、水平に透明のアクリルカバー２７が取り付けられる。アクリルカバー２７は、内部のＬＥＤ基板１５、拡散板１１及び拡散板１２を保護し、また熱を持ったＬＥＤ基板１５へ人の接触を避ける目的で設けられている。アクリルカバー２７はカバー部２５の両側面板２５ｅ，２５ｅの中央領域によって挟み込まれることにより安定的に固定される。
【００３０】
このように、カバー部２５の柱部２５ａ、底部２５ｂ、下層部２５ｃ、２枚の側面板２５ｅ、支持台２２のＬＥＤ搭載部２２ｃ及びスペーサー部２２ｄ並びにアクリルカバー２７によって、ＬＥＤ基板１５、曲面反射板１０、拡散板１１及び拡散板１２を内部に含む照明光形成空間Ｓ１が形成される。
【００３１】
さらに、カバー部２５は、上層部２５ｄ上から上方及び壁３２に向けて庇板２６を設けている。この庇板２６の形成長を調整することによって、曲面反射板１０の反射光が天井に出射される現象を確実に回避することができる。上層部２５ｄ、庇板２６は側面板２５ｅ，２５ｅの上部領域によって挟み込まれることにより安定的に固定される。
【００３２】
このように、ＬＥＤ照明装置１は、ＬＥＤ基板１５及び拡散板１１をＬＥＤ搭載部２２ｃに搭載した支持台２２、照明光形成空間Ｓ１内に曲面反射板１０及び拡散板１２を有するカバー部２５、支持台２２のスペーサー部２２ｄ上に取り付けられるアクリルカバー２７ーを主要構成部として構成される。
【００３３】
（原理）
ＬＥＤ照明装置１は、光源であるＬＥＤ５からの直接光（ＬＥＤ照射光）で壁３２を照射させず、曲面反射板１０による反射光のみを照明光として壁３２に出射することにより、配光特性をコントロールし、後に詳述するように、相対的に低くなりがちなＬＥＤ照明装置１から比較的遠い遠距離照射対象領域（第２の照明対象領域）の照度を上げ、ＬＥＤ照明装置１から比較的近い近距離照射対象領域（第１の照明対象領域）の照度を下げるようにしている。
【００３４】
また、複数のＬＥＤ５が実装されたＬＥＤ基板１５を照明光形成空間Ｓ１内に斜め下に向け、対向する曲面反射板１０を壁３２側に向け、反射光を照明光とすることにより、ＬＥＤ照明装置１の利用者がＬＥＤ５の直視を避け、眩しさを抑えるようにしている。この際、ＬＥＤ搭載部２２ｃや庇板２６によってユーザが曲面反射板１０を直視できないようにできる。
【００３５】
ＬＥＤ照明装置１は壁３２に近接させて室内の隅に配置するため、壁３２の照明対象領域は、ＬＥＤ照明装置１からの距離に応じて、「遠距離」，「中距離」，「近距離」及び「照明装置近傍」に分けることができる。以下では、「遠距離」を上記遠距離照射対象領域として、「中距離」，「近距離」及び「照明装置近傍」を上記近距離照射対象領域として説明する。
【００３６】
（曲面反射板１０）
本実施の形態では、曲面反射板１０のＸＺ平面で切断した場合の断面形状は凹状の連続した曲線となる曲面構造を呈しており、相対的に照度が低くなりがちな上記遠距離照射対象領域に光を集中させるべく断面形状の曲線の角度（曲率）が設定されている。
【００３７】
このように、曲面反射板１０は、上記遠距離照射対象領域への照明光となる反射光の光量が上記近距離照射対象領域への照明光となる反射光の光量より相対的に多くすることが可能な曲面構造を呈している。
【００３８】
図３は曲面反射板１０の断面形状を拡大して示す説明図である。図３に示すように、ＬＥＤ５から照射されるＬＥＤ照射光が拡散板１１を透過することにより拡散照射光Ｌ５（Ｌ５ａ，Ｌ５ｂ）として曲面反射板１０に入射される。曲面反射板１０に入射される拡散照射光Ｌ５は、曲面反射板１０に比較的近い距離で到達する部分拡散照射光Ｌ５ａ（第１の部分拡散光）と曲面反射板１０に比較的遠い距離で到達する部分拡散照射光Ｌ５ｂ（第２の部分拡散光）とを含んでいる。すなわち、部分拡散照射光Ｌ５ｂの方が部分拡散照射光Ｌ５ａより曲面反射板１０への到達距離が長い。
【００３９】
図３に示すように、曲面反射板１０は、主として部分拡散照射光Ｌ５ａを反射して、遠距離域用照明光ＬＡを壁３２に向けて外部に出射するとともに、主として部分拡散照射光Ｌ５ｂを反射して中距離域用照明光ＬＢを壁３２に向けて外部に出射している。その結果、照明対象領域のうち、遠距離域用照明光ＬＡが上記遠距離照射対象領域に出射され、中距離域用照明光ＬＢが上記近距離照射対象領域に出射されることになる。
【００４０】
このように、曲面反射板１０は、ＬＥＤ５から比較的近く光強度が相対的に強い部分の部分拡散照射光Ｌ５ａを反射して遠距離域用照明光ＬＡとし、ＬＥＤ５から比較的遠く光強度が相対的に弱い部分の部分拡散照射光Ｌ５ｂを反射して中距離域用照明光ＬＢとしている。
【００４１】
さらに、図１に示すように、曲面反射板１０は、上部端の狭い領域のみで拡散照射光Ｌ５ｃを反射して光量が中距離域用照明光ＬＢよりも小さい近距離域用照明光ＬＣを得ている。この近距離域用照明光ＬＣは上記近距離照射対象領域のうち中距離域用照明光ＬＢが出射される領域よりより近い領域に出射される。
【００４２】
部分拡散照射光Ｌ５ｃは部分拡散照射光Ｌ５ｂよりも曲面反射板１０への到達距離が遠いため、部分拡散照射光Ｌ５ｂより光強度がさらに弱い。したがって、近距離域用照明光ＬＣは中距離域用照明光ＬＢに比べて光量及び光強度が弱い光となる。
【００４３】
また、曲面反射板１０は、部分拡散照射光Ｌ５ｂを反射する曲面反射板１０の範囲が広がると、中距離域用照明光ＬＢ（近距離域用照明光ＬＣ）の上記近距離照射対象領域の照度が高くなりすぎるため、一定の範囲に抑えられるように配置されている。すなわち曲面反射板１０は、曲面構造で反射されることにより遠距離域用照明光ＬＡの方が中距離域用照明光ＬＢより光量が大きくすることができるように配置されている。
【００４４】
さらに、曲面反射板１０の断面形状を連続的な曲線とすることで、ＬＥＤ５から拡散板１１を透過して得られる拡散照射光Ｌ５の放射角度に応じて、反射光の角度をスムーズに変化させ、壁３２の照射対象領域における照明光ＬＡ〜ＬＣによる照度ムラを抑えることができる。
【００４５】
このように、本実施の形態の曲面反射板１０は上述したように配置されることにより、遠距離域用照明光ＬＡの強度及び光量を中距離域用照明光ＬＢ（近距離域用照明光ＬＣ）の強度及び光量より相対的に高めることができる。このため、遠距離域用照明光ＬＡと中距離域用照明光ＬＢ（近距離域用照明光ＬＣ）との間において、被照射物である壁３２（の照明対象領域）への到着距離である照明光到達距離の差により必然的に生じる、遠距離域用照明光ＬＡ及び中距離域用照明光ＬＢ間の照度差を効果的に抑制して、照明対象領域全体で照度差が少ない均一な照明が行える効果を奏する。
【００４６】
加えて、曲面反射板１０を反射させた反射光を照明光ＬＡ〜ＬＣとすることにより、ユーザがＬＥＤ５からのＬＥＤ照射光を直視することを確実に回避して、ユーザが眩しさを感じないユーザフレンドリーな構成にすることができる。
【００４７】
さらに、曲面反射板１０の曲面構造は、断面形状を曲線とし角度（曲率）を連続的に変化させているため、拡散照射光Ｌ５のうち、配光特性の高い放射角度から照射される光（部分拡散照射光Ｌ５ａ）が遮蔽されることなく効率的に遠距離域用照明光ＬＡとして使用でき、幾何光学的に反射光のロスが少ない設計となっている。
【００４８】
（拡散板１１）
図１に示すように、ＬＥＤ５が実装されたＬＥＤ基板１５の正面部分は、照明光形成空間Ｓ１において斜め下方向に向けられている。例えば、壁３２の形成面方向（Ｚ方向）に対し３０度の角度で斜め下方に向けられている。そして、ＬＥＤ５から照射されるＬＥＤ照射光が拡散板１１を透過して得られる拡散照射光Ｌ５に対向して反射板搭載面２５ｓに貼り付けられた曲面反射板１０が設けられている。
【００４９】
図４は拡散板１１の拡散効果を模式的に示す説明図である。同図に示すように、ＬＥＤ基板１５と曲面反射板１０との間に、ＬＥＤ基板１５に対し上方に行くに従い角度が広がるように斜めの角度で対向させて拡散板１１を配置している。
【００５０】
すなわち、下方に向けてＬＥＤ照射光を照射するＬＥＤ照射部（ＬＥＤ５及びＬＥＤ基板１５）と、上記ＬＥＤ照射光を拡散させて拡散照射光Ｌ５を得る拡散板１１により、ＬＥＤ照射光を拡散させた拡散照射光Ｌ５を照明光形成空間Ｓ１内に照射する拡散ＬＥＤ照射部を構成している。
【００５１】
この拡散板１１は等方性で半透明な拡散板である。具体的には、拡散板１１は、特殊な透明樹脂粒子（例えば、ＰＥＴ系樹脂の粒子）を透明の基材（例えば、アクリル系の材料）に塗工した半透明のシートで、入射した光を透過させつつ、等方性の拡散効果（例えば、１０度，３０度等の拡散角度）を有する一般的な拡散板である。  
拡散板１１により、ＬＥＤ５から拡散板１１までの距離はＬＥＤ照射光の放射角度により差が生じるため、一定の角度の光束でも放射角度によって拡散板１１上で光が透過する範囲（面積）が変化する。以下、この点を詳述する。
【００５２】
部分拡散照射光Ｌ５ａの光軸となる光軸Ｌ５ａｘは拡散板１１に対し垂直に近い角度（小さい入射角度）で入射されるため、拡散板１１の透過後の部分拡散照射光Ｌ５ａの拡散角度θＡは比較的小さい。このため、部分拡散照射光Ｌ５ａは拡散度合が比較的小さく、拡散による光強度の減少度合は比較的小さい。
【００５３】
一方、部分拡散照射光Ｌ５ｂの光軸となる光軸Ｌ５ｂｘは拡散板１１に対し光軸Ｌ５ａｘ比べ拡散板１１側に傾いた角度（大きい入射角度）で入射されるため、拡散板１１の透過後の拡散角度θＢ（＞θＡ）は比較的大きくなる。このため、部分拡散照射光Ｌ５ｂは拡散度合が比較的大きく、拡散による光強度の減少度合は比較的大きい。
【００５４】
このように、拡散板１１上でＬＥＤ５からのＬＥＤ照射光の到達距離が遠い位置ほど（光軸の中心から反れるに従って）、拡散板１１へのＬＥＤ照射光の入射角度（放射角度）が大きくなり、曲面反射板１０に拡散照射光Ｌ５として入射される光の範囲も分散され広くなり、その分、光強度は小さくなる。
【００５５】
拡散板１１上でＬＥＤ５から距離が遠い位置を透過して得られる部分拡散照射光Ｌ５ｂは、曲面反射板１０により主として中距離域用照明光ＬＢとして反射される。この部分拡散照射光Ｌ５ｂの拡散度合が比較的大きいため、部分拡散照射光Ｌ５ｂの一部が近距離域用照明光ＬＣ用の部分拡散照射光Ｌ５ｃとして分散して導かれる。このように、部分拡散照射光Ｌ５ｃを拡散板１１による拡散効果によって得ることにより、部分拡散照射光Ｌ５ｃとなる光量を一定量に抑制することができる。
【００５６】
上述したように、拡散板１１はＬＥＤ５からＬＥＤ照射光の放射角度によって拡散角度をスムーズに変化させ、曲面反射板１０に入射する拡散照射光Ｌ５の範囲を分散して広げることができる。この際、曲面反射板１０が貼り付けられた反射板搭載面２５ｓの領域を小さくして、ＬＥＤ照明装置１全体の大きさをコンパクトに保つためには、拡散板１１はＬＥＤ５に対し比較的近い位置に設置されることが望ましい。
【００５７】
なお、拡散板１１を挟み込んで支えるために設けられた側面板２５ｅ，２５ｅにより、白色のＬＥＤ５（特に後述する擬似白色ＬＥＤ構造の場合）からのＬＥＤ照射光の広角側から多く出る黄色の光を遮ることにより、色モレ効果も兼ねている。
【００５８】
拡散板１１による上記した特徴により、遠距離域用照明光ＬＡと比較して照度が高くなりがちな中距離域用照明光ＬＢの照度を抑えつつ、近距離域用照明光ＬＣに導く光（部分拡散照射光Ｌ５ｃ）も一定に抑えられ、近距離域用照明光ＬＣの照度が相対的に高くなり過ぎることも防止される。
【００５９】
また、拡散板１１による拡散効果により、個々のＬＥＤ５の輝度が壁に反射され、部分的に点々と照度が高くなる問題も解決することができる。
【００６０】
このように、第１の拡散板である拡散板１１のＬＥＤ５に対する上記した配置により、部分拡散照射光Ｌ５ａ及びＬ５ｂ間に拡散度合に差を設けることにより、部分拡散照射光Ｌ５ｂの光強度（拡散度合と負の相関）が部分拡散照射光Ｌ５ａの光強度に対してさらに相対的に小さくされる。このため、部分拡散照射光Ｌ５ａ及び部分拡散照射光Ｌ５ｂを反射して得られる遠距離域用照明光ＬＡと中距離域用照明光ＬＢ（近距離域用照明光ＬＣ）との間の照度差をより一層、効果的に抑制することができる。
【００６１】
さらに、拡散板１１を介した拡散照射光Ｌ５を反射させて照明光ＬＡ〜ＬＣを得ているため、拡散板１１の拡散効果により照明光ＬＡ〜ＬＣの照度ムラを効果的に抑制することができる。
【００６２】
加えて、曲面反射板１０は断面形状が曲線の曲面構造を有することにより、ＬＥＤ５から拡散板１１を介して照射された拡散照射光Ｌ５の放射角度に応じて反射光の角度がスムーズに変化するため、曲面反射板１０を反射して得られる照明光ＬＡ〜ＬＣによって壁３２の照明対象領域内における照度ムラを抑えることができる。
【００６３】
（拡散板１２）
図５は拡散板１２の拡散効果を模式的に示す説明図である。同図に示すように、曲面反射板１０と上記近距離照射対象領域用の照明光（中距離域用照明光ＬＢ及び近距離域用照明光ＬＣ）の光路上に、拡散板１２を設置している。すなわち、拡散板１２は、曲面反射板１０と壁３２の上記近距離照射対象領域を結ぶ光路上に設置される。拡散板１２は拡散板１１と同様に等方性で半透明の一般的な拡散板である。
【００６４】
なお、図５で示す例では、拡散板１２は部分拡散照射光Ｌ５ｂ及びＬ５ｃの光路上にも位置するため、部分拡散照射光Ｌ５ｂ及びＬ５ｃが透過する際及び中距離域用照明光ＬＢ及び近距離域用照明光ＬＣが透過する際に計２度拡散される。
【００６５】
図５に示すように、上記遠距離照射対象領域用の遠距離域用照明光ＬＡの光路は、拡散板１１のみを透過するのみであるが、上記近距離照射対象領域用の中距離域用照明光ＬＢ（近距離域用照明光ＬＣ）は拡散板１２をも透過するため、より拡散効果が増す。
【００６６】
したがって、拡散板１２による拡散効果によって、近距離域用照明光ＬＣを拡散させて照明装置近傍用照明光ＬＤをも得ることができ、近距離域用照明光ＬＣより照明光到達距離が近いＬＥＤ照明装置１の近傍を照明することができる。その結果、照明対象領域をＬＥＤ照明装置１によりより近い近傍領域まで広げることができると共に、壁３２の上記近距離照射対象領域に生じやすい照度ムラや曲面反射板１０の曲面精度に起因する照度ムラも抑制することができる。
【００６７】
さらに、ＬＥＤ５が擬似白色ＬＥＤ構造を有する場合、拡散板１２によって、ＬＥＤ５から出る黄色の色ムラも抑制することができる。以下、この点を詳述する。
【００６８】
図９は擬似白色ＬＥＤ構造を有するＬＥＤの構造を示す断面図である。同図に示すように、ＬＥＤ部４０は、基板４１上に青色発光のＬＥＤチップ４２を配置し、ＬＥＤチップ４２の発光面上に黄色の蛍光体４３を配置した状態で透明樹脂４４により樹脂封止している。蛍光体４３は、例えば、黄色の蛍光剤を透明のエポキシまたはシリコン樹脂に混合することにより構成される。
【００６９】
このような擬似白色ＬＥＤ構造のＬＥＤ部４０において、ＬＥＤチップ４２が青色で発光すると、励起光源として青色が黄色の蛍光体４３を照射し、青色を黄色に波長変換する。このように、ＬＥＤ部４０は、蛍光体４３の黄色とＬＥＤチップ４２の発光色である青色とを重ねて（混ぜ合わせて）疑似的に白色を発光する擬似白色ＬＥＤ構造を有している。
【００７０】
このような擬似白色ＬＥＤ構造を有するＬＥＤ部４０は、広角側の照射部分、すなわち、本実施の形態のＬＥＤ照明装置１におけるＬＥＤ５の場合、部分拡散照射光Ｌ５ｂに黄色の色ムラが生じる傾向がある。
【００７１】
しかしながら、部分拡散照射光Ｌ５ｂ（Ｌ５ｃ）及びその反射光となる中距離域用照明光ＬＢ（近距離域用照明光ＬＣ）が拡散板１２を透過することにより、最終的に中距離域用照明光ＬＢ（近距離域用照明光ＬＣ）が得られるため、上述した黄色の色ムラも効果的に抑制することができる。
【００７２】
上述したように、第２の拡散板である拡散板１２により、中距離域用照明光ＬＢ及び近距離域用照明光ＬＣを拡散させることにより、上記近距離照射対象領域内で照明光到達距離がより近い装置近傍用照明光ＬＤへの出射も行うことができる。さらに、拡散板１２による拡散効果により、中距離域用照明光ＬＢ（ＬＣ，ＬＤ）の拡散度合を高めることができるため、曲面反射板１０の精度に起因する照度ムラを効果的に抑制し、ＬＥＤ５が上記した擬似白色ＬＥＤ構造を有している場合においても、ＬＥＤ５のＬＥＤ照射光に生じる色ムラも効果的に抑制することができる。
【００７３】
（支持台２２）
図６は支持台２２の構造を示す斜視図である。同図に示すように、光源として、平面実装型の白色のＬＥＤ５を１枚のＬＥＤ基板１５上にライン状に複数個配置している。複数のＬＥＤ５を点灯するための電源部２３は、定電流電源装置（入力ＡＣ１００Ｖ）を使用し、図１に示すように支持台２２の台部２２ｂの裏側の空間に収まるように取り付けられている。
【００７４】
ＬＥＤ基板１５はアルミ製の支持台２２のＬＥＤ搭載部２２ｃの凹部底面上に固定されているため、複数のＬＥＤ５に生じる熱を効率よく放熱することができる。支持台２２は、図２に示すようにカバー部２５と組み合わされて繋がっているため、カバー部２５の素材もアルミ製とすれば、さらに放熱効率を増すことも可能である。
【００７５】
ＬＥＤ基板１５上にライン状に配置された複数のＬＥＤ５のうち最端部に配置されるＬＥＤ５は、支持台２２（ＬＥＤ搭載部２２ｃ）の両端からの距離ｄ５が１６ｍｍ程度の位置に配置されている。このように、支持台２２の端部（図２で示すカバー部２５の側面板２５ｅの形成位置）から距離ｄ５以上に離すことにより、カバー部２５の側面板２５ｅの影響で壁３２に生じる影を薄くできるため、より広角度で壁３２を照射することができる。
【００７６】
（カバー部２５）
図７はカバー部の全体構造を示す斜視図である。なお、説明の便宜上、カバー両側の２枚の側面板２５ｅ及び側面板２９のうち、手前側の側面板２５ｅ及び側面板２９の図示を省略している。
【００７７】
カバー部２５の素材は不透明の樹脂か、あるいは放熱効果を高めるためにアルミなどの金属を用いる。カバー部２５は、カバー本体を構成する柱部２５ａ、底部２５ｂ、下層部２５ｃ、及び上記壁形成方向の両端に設けられる側面板２５ｅ，２５ｅによってカバー本体を構成する。さらに、カバー部２５は、カバー部２５の下層部２５ｃ上に上層部２５ｄ及び庇板２６を有し、庇板２６によって曲面反射板１０による反射光による天井へ照射を遮蔽する。
【００７８】
そして、カバー部２５の底部２５ｂ及び下層部２５ｃの内部側の反射板搭載面２５ｓに、断面形状の少なくとも一部が連続した曲線で構成された曲面構造の曲面反射板１０が貼り付けられ、両側面板２５ｅ，２５ｅで挟んで浮かせた状態で拡散板１２を照明光形成空間Ｓ１内で固定している。カバー部２５において、柱部２５ａ、底部２５ｂ、下層部２５ｃ、上層部２５ｄ、側面板２５ｅ及び庇板２６は、照明光形成空間Ｓ１で不必要な反射が生じないように、反射率が低い素材を使用するか、あるいは反射率を下げる塗料を塗布して仕上げることが望ましい。
【００７９】
反射板搭載面２５ｓの断面形状が凹状の連続した曲線で形成され、この反射板搭載面２５ｓの形状に沿ってシート状の反射板が貼り付けられることにより、断面形状が曲線の曲面反射板１０が設けられる。曲面反射板１０として、鏡と同様の高い反射率を有する一般的な鏡面反射板を用いる。また、反射板搭載面２５ｓの反射板部分をメッキによる鏡面仕上げすることによって、反射板搭載面２５ｓ自体を曲面反射板１０として形成してもよい。
【００８０】
なお、反射板搭載面２５ｓに依存することなく曲面反射板１０の断面が曲線となる曲面構造を維持できるのであれば、反射板搭載面２５ｓの断面形状を曲面反射板１０の断面形状と同じ曲線形状にする必要はない。
【００８１】
拡散板１２に上述した一定の拡散効果を発揮させるためには、曲面反射板１０から離した位置で固定する必要があるため、中空に浮かせた状態で側面板２５ｅ，２５ｅのみで支えて固定する。ただし、拡散板１２の材厚が薄い場合はたるみが生じるため、３ｍｍ程度の厚みの同一形状の拡散板１２固定用の透明アクリル板に拡散板１２を接着し、この透明アクリル板を両側面板２５ｅ，２５ｅで挟みこむことで固定することが望ましい。なお、拡散板１２の配置は、図１，図５等で示した照明光形成空間Ｓ１内の配置以外に、アクリルカバー２７上（図７ではアクリルカバー２７の左側（−Ｘ方向）に寄せた位置）に接着して用いても、中距離域用照明光ＬＢ（近距離域用照明光ＬＣ）の光路上に配置すれば、拡散板１２に関して述べた効果と同様の効果を得ることができる。
【００８２】
庇板２６は、天井への曲面反射板１０による反射光を遮蔽するために用いられる。天井の高さによって庇板２６の庇の長さを変える必要があるが、ＬＥＤ照明装置１全体の位置を壁対向方向（Ｘ方向）壁に対して前後させることで調整することもできる。また、この庇板２６は室内のユーザがＬＥＤ５や曲面反射板１０を直視する行為を回避する役割も担っている。なお、側面板２９は支持台２２の上記壁形成方向の位置決め用に用いられる。
【００８３】
（均一照明領域）
図８はＬＥＤ照明装置１による均一照明領域８を模式的に示す説明図である。同図において、一例として、天井３３の高さ２７０ｃｍの条件で、ＬＥＤ照明装置１を壁３２から上記壁対向方向（Ｘ方向）が５ｃｍの位置（照明装置を含めると壁から２０ｃｍ程度）に設置台２１Ｂ（設置台２１と同等の役割）上に配置したケースを示す。なお、設置台２１Ｂの高さは７０ｃｍの高さであり、照明対象領域において、照度を均一にして照射できる均一照明領域８が図８に示すようになる。
【００８４】
図８に示すように、ＬＥＤ照明装置１から天井３３にかけて壁３２内に略円状に均一照明領域８が形成される。均一照明領域８は下から装置近傍用照明光ＬＤ、近距離域用照明光ＬＣ、中距離域用照明光ＬＢ及び遠距離域用照明光ＬＡによって照射される領域から構成される。このように、均一照明領域８は壁３２への到達距離が比較的短い中距離域用照明光ＬＢ、近距離域用照明光ＬＣ及び装置近傍用照明光ＬＤによる近距離照射対象領域（第１の照明対象領域）と、壁３２への到達距離が比較的長い遠距離域用照明光ＬＡによる遠距離照射対象領域（第２の照明対象領域）とにより構成される。
【００８５】
この均一照明領域８の範囲内では場所による明暗差（照度差）が照度[lx]で約１０倍以内に収めた領域となる。さらに、本実施の形態のＬＥＤ照明装置１を複数個横方向（Ｙ方向）に等間隔で並べると、さらに広い範囲の壁を均一に照射することができる。
【００８６】
このように、ＬＥＤ照明装置１から出射される照明光ＬＡ〜ＬＤは、ＬＡ，ＬＢ，ＬＣ及びＬＤの順で光量及び光強度が小さくなるように調整されているため、壁３２への到達距離に従いＬＤ，ＬＣ，ＬＢ及びＬＡの順で照度が低下してしまう現象を相殺することにより、均一照明領域８全体で照度差（明暗差）が生じない照明が行え、理想的には照明対象領域の大部分を均一照明領域８とすることができる。
【００８７】
なお、図８では略円状の均一照明領域８を示したが、実際には上辺が長い逆台形状の均一照明領域となる場合が多い。さらに、理想的には、下方の角部が少し丸められた矩形状の均一照明領域を得ることが望ましい。この場合、ＬＥＤ照明装置１を複数個横方向（Ｙ方向）に等間隔で並べて広い範囲の壁を均一に照射する際、各ＬＥＤ照明装置１に対応する均一照明領域間の隙間を効率的に軽減することができる。
【００８８】
（その他）
本実施の形態では、ＬＥＤ照明装置１による照明対象となる被照射物として壁３２を示したが、壁３２以外にも、立設配置され仕切り面に照明対象領域を有する机上パネル、ローパーティション及びハイパーティション等も被照射物として考えられる。例えば、ＬＥＤ照明装置１を机上面に配置することにより、机上面に近接配置された机上パネル等の照明用に用いることができる。
【００８９】
なお、本実施の形態では、ＬＥＤ基板１５に搭載されたＬＥＤ５と拡散板１１との組合せにより、ＬＥＤ照射光を拡散させた拡散照射光を内部に照射する拡散ＬＥＤ照射部を構成したが、ＬＥＤ５と拡散板１１（または同等の構成部）とが一体化したＬＥＤユニットを拡散ＬＥＤ照射部として用いることも可能である。
【００９０】
また、設置台２１（２１Ｂ）に替えて、プランターボックスなどに組み込んで支持台２２及びカバー部２５を設置することもできる。
【００９１】
また、本実施の形態では、ＬＥＤ照明装置１を床３１上に設置台２１（２１Ｂ）によって配置した例を示したが、ＬＥＤ照明装置１を天井３３に近い部分に取り付け、図１〜図８のＺ方向の向きを逆にしてＬＥＤ照明装置１により壁３２の上方から下方に向けて照明光ＬＤ，ＬＣ，ＬＢ及びＬＢの順で壁３２の照明対象領域を均一に照射することもできる。
【００９２】
つまり、本発明は、壁の一方向から壁の広いエリアを均一に照射できることころに特徴があるため、床３１上に設置する場合と同様に、天井３３に近い部分にＬＥＤ照明装置１を設置することも可能である。
【００９３】
なお、本発明は、その発明の範囲内において、実施の形態を適宜、変形、省略することが可能である。
【符号の説明】
【００９４】
１  ＬＥＤ照明装置
５  ＬＥＤ
１０  曲面反射板
１１，１２  拡散板
１５  ＬＥＤ基板
２２  支持台
２５  カバー部
【図１】
2014099306.tif 000003
【図２】
2014099306.tif 000004
【図３】
2014099306.tif 000005
【図４】
2014099306.tif 000006
【図５】
2014099306.tif 000007
【図６】
2014099306.tif 000008
【図７】
2014099306.tif 000009
【図８】
2014099306.tif 000010
【図９】
2014099306.tif 000011